(57)【要約】【課題】電子メールの送受信状況や中継サーバーの混雑状況に影響を受けることなく迅速に情報を集めることができる情報リアルタイム処理方法及びそのシステムを提供する。【解決手段】ウェブページの設問情報を保存するデータベースサーバー１と、メールを配信するメールサーバー２と、ウェブページを表示するウェブサーバー３とを備える情報リアルタイム処理システムであって、  メールサーバー２は、複数の携帯端末へメールを配信してウェブページの存在を告知し、  ウェブサーバー３及び前記データベースサーバー１は、携帯端末がウェブページに接続された際に、開始の時刻を取得して保存し且つ携帯端末に設問情報を表示し、ウェブサーバー３に携帯端末から返答情報が送信された際に、返答の時刻を取得して保存し、開始の時刻と返答の時刻の時間差を求めて保存し、複数の携帯端末の時間差を集計して順位付けするように構成される。【選択図】図１
2008117198.tif 000002
【特許請求の範囲】
【請求項１】
設問情報に対する返答情報を複数の携帯端末から集める情報リアルタイム処理方法であって、携帯端末がウェブページに接続された際に、ウェブサーバーにより開始の時刻を取得し且つ携帯端末に設問情報を表示し、前記ウェブサーバーに携帯端末から返答情報が送信された際に、ウェブサーバーにより返答の時刻を取得し、開始の時刻と返答の時刻の時間差を求めて利用することを特徴とする情報リアルタイム処理方法。
【請求項２】
設問情報に対する返答情報を複数の携帯端末から集める情報リアルタイム処理方法であって、メールサーバーから複数の携帯端末へメールを配信してウェブページの存在を告知し、携帯端末がウェブページに接続された際に、ウェブサーバーにより開始の時刻を取得してデータベースサーバーに保存し且つ携帯端末に設問情報を表示し、前記ウェブサーバーに携帯端末から返答情報が送信された際に、ウェブサーバーにより返答の時刻を取得してデータベースサーバーに保存し、開始の時刻と返答の時刻の時間差を求めて保存し、携帯端末の時間差を集計して順位付けすることを特徴とする情報リアルタイム処理方法。
【請求項３】
集計した順位を携帯端末へ配信することを特徴する請求項１又は２記載の情報リアルタイム処理方法。
【請求項４】
集計した順位に基づいて当選発表を行うことを特徴とする請求項１又は２記載の情報リアルタイム処理方法。
【請求項５】
ウェブページの存在を告知するメールを、時間をずらして配信することを特徴とする請求項１又は２記載の情報リアルタイム処理方法。
【請求項６】
ウェブページの設問情報を保存するデータベースサーバーと、メールを配信するメールサーバーと、ウェブページを表示するウェブサーバーとを備える情報リアルタイム処理システムであって、
前記メールサーバーは、複数の携帯端末へメールを配信してウェブページの存在を告知し、
前記ウェブサーバー及び前記データベースサーバーは、携帯端末がウェブページに接続された際に、開始の時刻を取得して保存し且つ携帯端末に設問情報を表示し、ウェブサーバーに携帯端末から返答情報が送信された際に、返答の時刻を取得して保存し、開始の時刻と返答の時刻の時間差を求めて保存し、携帯端末の時間差を集計して順位付けするように構成されたことを特徴とする情報リアルタイム処理システム。
【請求項７】
前記メールサーバーは、集計した順位を携帯端末へ配信するように構成したことを特徴する請求項６記載の情報リアルタイム処理システム。
【請求項８】
前記メールサーバーは、集計した順位に基づいて当選発表を行うように構成したことを特徴とする請求項６記載の情報リアルタイム処理システム。
【請求項９】
前記メールサーバーは、ウェブページの存在を告知するメールを、時間をずらして配信するように構成したことを特徴とする請求項６記載の情報リアルタイム処理システム。
【発明の詳細な説明】
【技術分野】
【０００１】
本発明は、設問情報に対する返答情報を集める情報リアルタイム処理方法及びそのシステムに関するものである。
【背景技術】
【０００２】
一般に、所定の商品等を広告宣伝する場合やユーザーの嗜好等のマーケッティング情報を収集する場合には、景品付きのクイズやアンケートが行われており、近年では、インターネットを利用することが増加している。
【０００３】
具体的な一例では、ユーザーの端末等からインターネットを介してアクセスされるウェブサーバーと、広告情報やユーザー情報等を記憶するデータベースとを備えたサーバーシステムを利用し、アンケート、ＤＭ、クーポン等の情報をウェブサーバーにより提供してユーザーの反応をデータ収集するものがある（例えば、特許文献１参照）。
【０００４】
又、他例では、携帯電話のＧＰＳ（Ｇrobal Positioning System）機能等による位置情報と、電子メール機能とを利用し、指定した任意のエリアにおいて所定の条件を満たしたモニタに対し、携帯電話のメール受信機能を利用して即座にマーケティングの情報を送るものがある（例えば、特許文献２参照）。
【特許文献１】特開２００３−３３１１０６号公報
【特許文献２】特開２００２−３６６４６４号公報
【発明の開示】
【発明が解決しようとする課題】
【０００５】
しかしながら、単純にサーバーシステムと携帯電話を組み合わせて情報を収集する場合であっても、電子メールの送受信状況や中継サーバーの混雑状況によっては、迅速に情報を集めることができないという問題があった。又、ユーザーは都合の良い時間に返答するため、返答が遅い場合には、データの収集が遅延して情報を迅速に得ることができないという問題があった。更に、ユーザーから電子メールの返答が集中した場合には、メールサーバーのサーバーシステムに負荷がかかり、迅速にデータを処理できないという問題があった。
【０００６】
本発明は上述の実情に鑑み、電子メールの送受信状況や中継サーバーの混雑状況に影響を受けることなく迅速に情報を集めることができる情報リアルタイム処理方法及びそのシステムを提供することを目的としたものである。
【課題を解決するための手段】
【０００７】
本発明は、設問情報に対する返答情報を複数の携帯端末から集める情報リアルタイム処理方法であって、携帯端末がウェブページに接続された際に、ウェブサーバーにより開始の時刻を取得し且つ携帯端末に設問情報を表示し、前記ウェブサーバーに携帯端末から返答情報が送信された際に、ウェブサーバーにより返答の時刻を取得し、開始の時刻と返答の時刻の時間差を求めて利用することを特徴とする情報リアルタイム処理方法に係るものである。
【０００８】
又、本発明は、設問情報に対する返答情報を複数の携帯端末から集める情報リアルタイム処理方法であって、メールサーバーから複数の携帯端末へメールを配信してウェブページの存在を告知し、携帯端末がウェブページに接続された際に、ウェブサーバーにより開始の時刻を取得してデータベースサーバーに保存し且つ携帯端末に設問情報を表示し、前記ウェブサーバーに携帯端末から返答情報が送信された際に、ウェブサーバーにより返答の時刻を取得してデータベースサーバーに保存し、開始の時刻と返答の時刻の時間差を求めて保存し、携帯端末の時間差を集計して順位付けすることを特徴とする情報リアルタイム処理方法に係るものである。
【０００９】
本発明において、集計した順位を携帯端末へ配信することが好ましい。
【００１０】
本発明において、集計した順位に基づいて当選発表を行うことが好ましい。
【００１１】
本発明において、ウェブページの存在を告知するメールを、時間をずらして配信することが好ましい。
【００１２】
本発明は、ウェブページの設問情報を保存するデータベースサーバーと、メールを配信するメールサーバーと、ウェブページを表示するウェブサーバーとを備える情報リアルタイム処理システムであって、
前記メールサーバーは、複数の携帯端末へメールを配信してウェブページの存在を告知し、
前記ウェブサーバー及び前記データベースサーバーは、携帯端末がウェブページに接続された際に、開始の時刻を取得して保存し且つ携帯端末に設問情報を表示し、ウェブサーバーに携帯端末から返答情報が送信された際に、返答の時刻を取得して保存し、開始の時刻と返答の時刻の時間差を求めて保存し、携帯端末の時間差を集計して順位付けするように構成されたことを特徴とする情報リアルタイム処理システムに係るものである。
【００１３】
本発明において、前記メールサーバーは、集計した順位を携帯端末へ配信するように構成することが好ましい。
【００１４】
本発明において、前記メールサーバーは、集計した順位に基づいて当選発表を行うように構成することが好ましい。
【００１５】
本発明において、前記メールサーバーは、ウェブページの存在を告知するメールを、時間をずらして配信するように構成することが好ましい。
【００１６】
このように、本発明によれば、携帯端末がウェブページに接続された際に設問情報を表示し、且つウェブサーバーに携帯端末から返答情報が送信されるので、電子メールの場合と異なり、電子メールの送受信状況や中継サーバーの混雑状況に影響を受けることなく、迅速に情報を集めることができる。同時に、ウェブサーバーへ接続の開始の時刻と返答情報の返答の時刻とによる時間差を基準にして時間差の少ない順に順位付けをするので、ユーザーへ早い返答を促し、迅速に情報を集めることができる。更に、設問情報の表示及び返答情報の送信を携帯端末で行うので、固定型の端末と異なり、携帯端末を携帯するユーザーから迅速な反応を得ることができる。更に又、ウェブサーバーへ接続の開始の時刻と返答情報の返答の時刻とによる時間差を利用するので、客観的な指標として公平な順位付けを行うことができる。
【００１７】
集計した順位を携帯端末へ配信すると、ユーザーは時間差に基づく自らの順位を適切に確認するので、早い返答と一層の利用を促し、迅速に情報を集めると共に情報の精度を高めることができる。
【００１８】
集計した順位に基づいて当選発表を行うと、ユーザーは時間差に基づく当選を適切に確認するので、早い返答と一層の利用を促し、迅速に情報を集めると共に情報の精度を高めることができる。
【００１９】
ウェブページの存在を告知するメールを、時間をずらして配信すると、ウェブサーバーへの接続の集中を緩和することができる。
【発明の効果】
【００２０】
本発明の情報リアルタイム処理方法及びそのシステムによれば、電子メールの送受信状況や中継サーバーの混雑状況に影響を受けることなく、迅速に情報を集めることができ、同時に、ウェブサーバーへ接続の開始の時刻と返答情報の返答の時刻とによる時間差を基準にして時間差の少ない順に順位付けをするので、ユーザーへ早い返答を促し、迅速に情報を集めることができるという種々の優れた効果を奏し得る。
【発明を実施するための最良の形態】
【００２１】
以下、本発明の実施の形態の第一例を図面に基づいて説明する。
【００２２】
図１〜図４は本発明の情報リアルタイム処理方法及びそのシステムの形態の第一例であり、図１は情報リアルタイム処理システムの全体の処理を示す第一例の概略図であり、図２はデータベースサーバーの処理を示す第一例のフロー図であり、図３はメールサーバーの処理を示すフロー図であり、図４はウェブサーバーの処理を示すフロー図である。
【００２３】
第一例の情報リアルタイム処理システムは、商品等を広告宣伝するようにユーザーに景品付きのクイズ（設問情報）を提供するものであって、データベースサーバー１と、メールサーバー２と、ウェブサーバー３とを備えて構築されており、全体をサーバーＯＳにより制御するようになっている。
【００２４】
データベースサーバー１は、ユーザーに提供するクイズ等の設問情報や、メールサーバー２によるメールの配信条件を保存し、又、所定のプログラムによって種々の接続の時刻、返答情報等を保存するようになっている。
【００２５】
メールサーバー２は、ウェブページの存在を告知するメールを複数の携帯端末へ配信するようになっており、配信条件によっては、所定のプログラムにより時間をずらしてメールを配信し得るようになっている。ここで、メールを配信する携帯端末は、予め登録したものでも良いし、ランダムに選択したものでも良い。
【００２６】
ウェブサーバー３は、インターネット等のネットワークに接続されており、携帯端末からウェブページに接続可能に設定されると共に、所定のプログラムによって種々の接続の時刻、返答情報等を取得するようになっている。ここで、ウェブサーバー３は、ネットワークに直接接続されても良いし、プロトコル変換部を介して接続されても良く、携帯端末と接続し得るならば特に制限されるものではない。
【００２７】
一方、携帯端末は、携帯電話機やＰＨＳ等の移動通信機、或いはＰＤＡ（Personal Digital Assistant）やパソコン、通信機能付きのゲーム機器等であり、携帯して通信できるものならばどのようなものでも良い。
【００２８】
以下、本発明の実施の形態の第一例の作用として情報リアルタイム処理方法を行う場合を説明する。
【００２９】
情報を処理する際には、予め、管理者により、メールの発信条件、クイズ等の設問情報の条件をウェブサーバー３からデータベースサーバー１へ入力し、保存する（図２ではステップＳｄ１）。
【００３０】
次に、メールサーバー２から、データベースサーバー１に保存された配信条件に基づき、ウェブページの存在を告知するメールを複数の携帯端末へ配信し（図３ではステップＳｍ１）、ユーザーへ景品付きのクイズがある旨を知らせ、ユーザーに指定のウェブページへの接続を促す（図４ではステップＳｗ１）。
【００３１】
ユーザーによって携帯端末がウェブページに接続された際には、宣伝広告を表示すると同時に、ウェブサーバー３により開始の時刻（Ａ）を取得し（図４ではステップＳｗ２）、データベースサーバー１に保存する（図２ではステップＳｄ２）。続いてウェブページのガイドの沿ってユーザーに、住所、氏名等のユーザー情報を入力させて、取得、保存する（図４ではステップＳｗ３、図２ではステップＳｄ３）。ここで、開始の時刻の取得、保存は、宣伝広告の表示と同時若しくはその前後のいずれか、更に、ユーザー情報の完了と同時若しくはその前後のいずれかに行うようにしても良く、特に制限されるものではない。又、ユーザー情報は、設問情報に返答する前の会員登録時に入力するようにしても良いし、他の処理時に入力しても良く、特に制限されるものではない。更に、ユーザ情報が予め登録されている場合には入力を省略しても良く、所定の登録番号のみを入力するようにしても良い。
【００３２】
次に、データベースに保存されたクイズ等の設問情報をウェブサーバー３に提供し（図２ではステップＳｄ４）、携帯端末に接続するウェブページにクイズ等の設問情報を表示する（図４ではステップＳｗ４）。ここで、クイズ等の設問情報は、宣伝広告に関するキーワードの入力でも良いし、一般的なクイズでも良く、その種類や内容は特に限定されるものではない。
【００３３】
設問情報の解答として携帯端末から返答情報がウェブページに返信された際には（図４ではステップＳｗ５）、ウェブサーバー３により返答情報及び返答の時刻を取得し（図４ではステップＳｗ６）、ウェブサーバー３で返答情報の正解・不正解を判断（図４ではステップＳｗ７）した後、正解・不正解と共に返答の時刻（Ｂ）をデータベースサーバー１に送信し（図４ではステップＳｗ８、Ｓｗ９）、データベースサーバー１に、正解・不正解（返答情報）及び返答の時刻を保存する（図２ではステップＳｄ５、Ｓｄ６）。なお、ウェブページに一定時間返信がない場合には、一連の処理を終了するようにすることが好ましい。
【００３４】
続いてデータベースサーバー１では、ユーザーによる開始の時刻（Ａ）と返答の時刻（Ｂ）の時間差（Ｂ−Ａ）を減算により求めて保存し（図２ではステップＳｄ７）、いままでに蓄積した集計順位に組み込み、集計順位を更新して保存する（図２ではステップＳｄ８）。ここで、時間差は、開始の時刻（Ａ）から返答の時刻（Ｂ）までを積算カウントして求めても良く、時間差を算出するのならば他の処理でも良い。
【００３５】
次にデータベースサーバー１に保存された正解・不正解、集計順位をメールサーバー２に提供し（図２ではステップＳｄ９）、返答のあった携帯端末に直ちに正解・不正解、集計順位をメールで配信する（図３ではステップＳｍ２）。ここで、携帯端末に集計順位をメールで直接配信する代わりに、時間差のみを通知し、一定時間の後、所定のウェブページに時間差の順位表を発表してユーザーに確認させるようにしても良く、正解・不正解も所定のウェブページでユーザーに確認させるようにしても良い。
【００３６】
ユーザーに正解・不正解、順位を知らせた後には、データベースサーバー１に保存された集計順位の基づく当選者をメールサーバー２に提供し（図２ではステップＳｄ１０）、当選者の携帯端末に当選者である旨のメールで配信し（図３ではステップＳｍ３）、その後、当選したユーザーに対し、ユーザー情報に基づいて管理者により景品を送る。ここで、当選者は、時間差が最も短いユーザーにすることが好ましいが、時間差が短いユーザーの上位の複数名でも良いし、時間差が短い順番で１０番目、１００番目、７７７番目等の所定の順位を基準にしても良く、当選者の条件は特に制限されるものではない。
【００３７】
このように、第一例の情報リアルタイム処理方法及びそのシステムによれば、携帯端末がウェブページに接続された際に設問情報を表示し、且つウェブサーバー３に携帯端末から返答情報が送信されるので、電子メールの場合と異なり、電子メールの送受信状況や中継サーバーの混雑状況に影響を受けることなく、迅速に広告を知らせると共に返答情報を集めることができる。同時に、ウェブサーバー３へ接続の開始の時刻と返答情報の返答の時刻とによる時間差を基準にして時間差の少ない順に順位付けをするので、ユーザーへ早い返答を促し、迅速に情報を集めることができる。更に、設問情報の表示及び返答情報の送信を携帯端末で行うので、固定型の端末と異なり、携帯端末を携帯するユーザーから迅速な反応を得ることができる。更に又、ウェブサーバー３へ接続の開始の時刻と返答情報の返答の時刻とによる時間差を利用するので、客観的な指標として公平な順位付けを行うことができる。
【００３８】
集計した順位を携帯端末へ配信すると、ユーザーは時間差に基づく自らの順位を適切に確認するので、早い返答と一層の利用を促し、迅速に情報を集めると共に情報の精度を高めることができる。
【００３９】
集計した順位に基づいて当選発表を行うと、ユーザーは時間差に基づく当選を適切に確認するので、早い返答と一層の利用を促し、迅速に情報を集めると共に情報の精度を高めることができる。
【００４０】
ウェブページの存在を告知するメールを、時間をずらして配信すると、ウェブサーバー３への接続の集中を緩和することができる。
【００４１】
図５、図６は本発明の情報リアルタイム処理方法及びそのシステムの形態の第二例であり、図５は情報リアルタイム処理システムの全体の処理を示す第二例の概略図であり、図６はウェブサーバーの処理を示す第二例のフロー図である。なお、データベースサーバーの処理は第一例のフロー（図２）を代用し、メールサーバーの処理も第一例のフロー（図３）を代用する。
【００４２】
第二例の情報リアルタイム処理システムは、マーケティング情報を得るように景品付きのアンケート（設問情報）を提供するものであって、第一例と略同様に、データベースサーバー４と、メールサーバー５と、ウェブサーバー６とを備えて構築されており、全体をサーバーＯＳにより制御するようになっている。
【００４３】
データベースサーバー４は、ユーザーに提供するアンケート等の設問情報や、メールサーバー５によるメールの配信条件を保存し、又、所定のプログラムによって種々の接続の時刻、返答情報等を保存するようになっている。
【００４４】
メールサーバー５は、第一例と略同様に、ウェブページの存在を告知するメールを複数の携帯端末へ配信するようになっており、配信条件によっては、所定のプログラムにより時間をずらしてメールを配信し得るようになっている。ここで、メールを配信する携帯端末は、予め登録したものでも良いし、ランダムに選択したものでも良い。
【００４５】
ウェブサーバー６は、第一例と略同様にインターネット等のネットワークに接続されており、携帯端末からウェブページに接続可能に設定されると共に、所定のプログラムによって種々の接続の時刻、返答情報等を取得するようになっている。ここで、ウェブサーバー６は、ネットワークに直接接続されても良いし、プロトコル変換部を介して接続されても良く、携帯端末と接続し得るならば特に制限されるものではない。
【００４６】
一方、携帯端末は、携帯電話機やＰＨＳ等の移動通信機、或いはＰＤＡ（Personal Digital Assistant）やパソコン、通信機能付きのゲーム機器等であり、携帯して通信できるものならばどのようなものでも良い。
【００４７】
以下、本発明の実施の形態の第二例の作用として情報リアルタイム処理方法を行う場合を説明する。
【００４８】
情報を処理する際には、予め、管理者により、メールの発信条件、アンケート等の設問情報の条件をウェブサーバー６からデータベースサーバー４へ入力し、保存する（図２ではステップＳｄ１）。
【００４９】
次に、メールサーバー５から、データベースサーバー４に保存された配信条件に基づき、ウェブページの存在を告知するメールを複数の携帯端末へ配信し（図３ではステップＳｍ１）、ユーザーへ景品付きのアンケートがある旨を知らせ、ユーザーに指定のウェブページへの接続を促す（図６ではステップＳｗ１１）。
【００５０】
ユーザーによって携帯端末がウェブページに接続された際には、ウェブサーバー６により開始の時刻（Ａ）を取得し（図６ではステップＳｗ１２）、データベースサーバー４に保存する（図２ではステップＳｄ２）。続いてウェブページのガイドの沿ってユーザーに、住所、氏名等のユーザー情報を入力させて、取得、保存する（図６ではステップＳｗ１３、図２ではステップＳｄ３）。ここで、開始の時刻の取得、保存は、ユーザー情報の完了と同時もしくはその後に行うようにしても良く、特に制限されるものではない。又、ユーザー情報は、アンケートを利用する前の会員登録時に入力するようにしても良いし、他の処理時に入力しても良く、特に制限されるものではない。更に、ユーザ情報が予め登録されている場合には入力を省略しても良く、所定の登録番号のみを入力するようにしても良い。
【００５１】
次に、データベースに保存されたアンケート等の設問情報をウェブサーバー６に提供し（図２ではステップＳｄ４）、携帯端末に接続するウェブページにアンケート等の設問情報を表示する（図６ではステップＳｗ１４）。ここで、アンケート等の設問情報は、マーケティング情報を収集するものが好ましいが、その種類や内容は特に限定されるものではない。
【００５２】
設問情報の解答として携帯端末から返答情報がウェブページに返信された際には（図６ではステップＳｗ１５）、ウェブサーバー６により返答情報及び返答の時刻を取得し（図６ではステップＳｗ１６）、ウェブサーバー６でアンケートの記入もれ（返答情報の充足）を判断する（図６ではステップＳｗ１７）。ここで、アンケートの記入もれがある場合には、アンケートを再表示して返答の時刻等を再び取得、保存するようにしている（図６ではステップＳｗ１４とステップＳｗ１５の間へ移行）が、「返答なし」の情報としてそのまま先の返答の時刻を適用しても良いし、エラー表示として最初の段階へ移行するようにしても良く、特に制限されるものではない。
【００５３】
アンケートの返答情報を取得した後には、アンケートの返答情報と共に返答の時刻（Ｂ）をデータベースサーバー４に送信し（図６ではステップＳｗ１８）、データベースサーバー４に、アンケートの返答情報及び返答の時刻を保存する（図２ではステップＳｄ５、Ｓｄ６）。なお、ウェブページに一定時間返信がない場合には、一連の処理を終了するようにすることが好ましい。
【００５４】
続いてデータベースサーバー４では、ユーザーによる開始の時刻（Ａ）と返答の時刻（Ｂ）の時間差（Ｂ−Ａ）を減算により求めて保存し（図２ではステップＳｄ７）、いままでに蓄積した集計順位に組み込み、集計順位を更新して保存する（図２ではステップＳｄ８）。ここで、時間差は、開始の時刻（Ａ）から返答の時刻（Ｂ）までを積算カウントして求めても良く、時間差を算出するのならば他の処理でも良い。
【００５５】
次にデータベースサーバー４に保存されたアンケート結果、集計順位をメールサーバー５に提供し（図２ではステップＳｄ９）、返答のあった携帯端末に直ちにアンケート結果、集計順位をメールで配信する（図３ではステップＳｍ２）。ここで、携帯端末に集計順位をメールで直接配信する代わりに、時間差のみを通知し、一定時間の後、所定のウェブページに時間差の順位表を発表してユーザーに確認させるようにしても良く、正解・不正解も所定のウェブページでユーザーに確認させるようにしても良い。
【００５６】
ユーザーにアンケート結果、順位を知らせた後には、データベースサーバー４に保存された集計順位の基づく当選者をメールサーバー５に提供し（図２ではステップＳｄ１０）、当選者の携帯端末に当選者である旨のメールで配信し（図３ではステップＳｍ３）、その後、当選したユーザーに対し、ユーザー情報に基づいて管理者により景品を送ると共に、アンケート結果をマーケッティング情報として利用する。ここで、当選者は、時間差が最も短いユーザーにすることが好ましいが、時間差が短いユーザーの上位の複数名でも良いし、時間差が短い順番で１０番目、１００番目、７７７番目等の所定の順位を基準にしても良く、当選者の条件は特に制限されるものではない。
【００５７】
このように、第二例の情報リアルタイム処理方法及びそのシステムによれば、携帯端末がウェブページに接続された際に設問情報を表示し、且つウェブサーバー６に携帯端末から返答情報が送信されるので、電子メールの場合と異なり、電子メールの送受信状況や中継サーバーの混雑状況に影響を受けることなく、迅速にアンケート等のマーケッティング情報（返答情報）を集めることができる。同時に、ウェブサーバー６へ接続の開始の時刻と返答情報の返答の時刻とによる時間差を基準にして時間差の少ない順に順位付けをするので、ユーザーへ早い返答を促し、迅速に情報を集めることができる。更に、設問情報の表示及び返答情報の送信を携帯端末で行うので、固定型の端末と異なり、携帯端末を携帯するユーザーから迅速な反応を得ることができる。更に又、ウェブサーバー６へ接続の開始の時刻と返答情報の返答の時刻とによる時間差を利用するので、客観的な指標として公平な順位付けを行うことができる。又、第一例と同様な作用効果を得ることができる。
【００５８】
なお、本発明の情報リアルタイム処理方法及びそのシステムは、上述の形態例のみに限定されるものではなく、開始の時刻と返答の時刻との時間差を利用して処理するならば、他の用途に適用しても良いこと、その他、本発明の要旨を逸脱しない範囲内において種々変更を加え得ることは勿論である。
【図面の簡単な説明】
【００５９】
【図１】本発明の情報リアルタイム処理方法及びそのシステムの全体の処理を示す第一例の概略図である。
【図２】本発明の情報リアルタイム処理方法においてデータベースサーバーの処理を示す第一例のフロー図である。
【図３】本発明の情報リアルタイム処理方法においてメールサーバーの処理を示すフロー図である。
【図４】本発明の情報リアルタイム処理方法においてウェブサーバーの処理を示すフロー図である。
【図５】本発明の情報リアルタイム処理方法及びそのシステムの全体の処理を示す第二例の概略図である。
【図６】本発明の情報リアルタイム処理方法においてウェブサーバーの処理を示す第二例のフロー図である。
【符号の説明】
【００６０】
１  データベースサーバー
２  メールサーバー
３  ウェブサーバー
４  データベースサーバー
５  メールサーバー
６  ウェブサーバー
【図１】
2008117198.tif 000003
【図２】
2008117198.tif 000004
【図３】
2008117198.tif 000005
【図４】
2008117198.tif 000006
【図５】
2008117198.tif 000007
【図６】
2008117198.tif 000008